(57)【要約】【課題】遊技者が自分のＩＣカードなどを遊技機の上に不注意に置き忘れる危険性を低減できる遊技機を提供する。【解決手段】記憶装置インタフェース部は、遊技機の上に置かれた外部記憶装置と遊技者の個人情報を交換できる。個人情報管理部は個人情報を遊技者の識別に利用し、又はクレジットとして利用する。遊技制御部は遊技プログラムを実行して遊技を行う。警報部は記憶装置インタフェース部と外部記憶装置との間の接続、又は遊技機の上での外部記憶装置の有無を監視する。外部記憶装置が記憶装置インタフェース部と通信可能な位置にあることを示す警告メッセージ又は信号を警報部は出力する。例えば、遊技制御部が遊技者からクレジットの現金化、若しくは外部記憶装置に格納される金銭情報への変換の指示を受けた場合、又は遊技者のクレジットがゼロになった場合、警告メッセージ又は信号は出力される。【選択図】図１
2008279262.tif 000002
【特許請求の範囲】
【請求項１】
外部記憶装置と通信して遊技者の個人情報を交換するように構成された記憶装置インタフェース部、
前記個人情報の項目を前記遊技者の識別情報又は遊技に関する金銭情報として利用するように構成された個人情報管理部、
遊技プログラムを実行し、前記遊技者によって入力されたデータに応じて遊技機能を制御し、遊技結果に応じて前記金銭情報を変更するように構成された遊技制御部、及び、
遊技状態に応じて、又は、前記遊技制御部が前記遊技者から受信した特定の信号に応じて、前記外部記憶装置が前記記憶装置インタフェース部と通信可能な位置にあることを示す警告メッセージ又は警告信号を出力するように構成された警報部、
を有する遊技機。
【請求項２】
前記記憶装置インタフェース部は、上部又は内部に配置された前記外部記憶装置と通信するように構成された、パッド、スロット、又はホルダのいずれかを含み、
前記警報部が、前記記憶装置インタフェース部と前記外部記憶装置との間の接続、又は、前記記憶装置インタフェース部に対する前記外部記憶装置の有無を監視するように構成された、
請求項１に記載の遊技機。
【請求項３】
遊技者のクレジットを現金、若しくは、前記外部記憶装置に格納される前記金銭情報に変換する旨の指示を前記遊技制御部が受信した場合、又は、前記遊技制御部が前記遊技者のクレジットを現金又は前記金銭情報に変換し終わった場合、前記警報部は前記警告メッセージ又は前記警告信号を出力するように構成された、請求項１に記載の遊技機。
【請求項４】
前記遊技者のクレジットがゼロになったことを前記遊技制御部が検出した場合、前記遊技者のクレジットがゼロになったことを前記遊技制御部が検出してから所定時間、前記遊技制御部が前記遊技者からクレジットの追加を受けなかった場合、又は、前記遊技者のクレジットがゼロになったことを前記遊技制御部が検出した後に遊技停止の指示を前記遊技制御部が受けた場合のいずれかに、前記警報部は前記警告メッセージ又は前記警告信号を出力するように構成された、請求項１に記載の遊技機。
【請求項５】
前記遊技者のクレジットが賭け金の最小額を下回ったことを前記遊技制御部が検出した場合、前記遊技者のクレジットが賭け金の最小額を下回ったことを前記遊技制御部が検出してから所定時間、前記遊技制御部が前記遊技者からクレジットの追加を受けなかった場合、又は、前記遊技者のクレジットが賭け金の最小額を下回ったことを前記遊技制御部が検出した後に前記遊技制御部が遊技停止の指示を受けた場合のいずれかに、前記警報部は前記警告メッセージ又は前記警告信号を出力するように構成された、請求項１に記載の遊技機。
【請求項６】
前記遊技制御部が遊技中断の指示を受けた場合、前記警報部は前記警告メッセージ又は前記警告信号を出力するように構成された、請求項１に記載の遊技機。
【請求項７】
前記遊技制御部が前記遊技者にジャックポット又は所定額を上回る賞金を与えることを決定した場合、前記警報部は前記警告メッセージ又は前記警告信号を出力するように構成された、請求項１に記載の遊技機。
【請求項８】
前記遊技制御部に従ってクレジットの値を表示するように構成された表示部を更に有し、
前記遊技制御部が前記ジャックポット又は前記賞金の金額だけ前記クレジットの表示値を増やす場合、前記遊技制御部が前記クレジットの表示値を増やし終えた場合、又は、前記遊技制御部が前記クレジットの表示値を増やし始めてから、若しくは増やし終えてから所定時間指示を受けなかった場合のいずれかに、前記警報部は前記警告メッセージ又は前記警告信号を出力するように構成された、請求項７に記載の遊技機。
【請求項９】
ジャックポット制御装置が前記遊技者にジャックポットを与えることを決定した場合、前記警報部は前記警告メッセージ又は前記警告信号を出力するように構成された、請求項１に記載の遊技機。
【請求項１０】
前記遊技制御部に従ってクレジットの値を表示するように構成された表示部を更に有し、
前記遊技制御部が前記ジャックポットの金額だけ前記クレジットの表示値を増やす場合、前記遊技制御部が前記クレジットの表示値を増やし終えた場合、前記遊技制御部が前記クレジットの表示値を増やし始めてから、又は増やし終えてから所定時間指示を受けなかった場合のいずれかに、前記警報部は前記警告メッセージ又は前記警告信号を出力するように構成された、請求項９に記載の遊技機。
【請求項１１】
前記遊技制御部が所定の種類の干渉操作を受けた場合、前記警報部は前記警告メッセージ又は前記警告信号を出力するように構成された、請求項１に記載の遊技機。
【請求項１２】
前記遊技制御部が一定時間内に所定の種類の干渉行為を所定の回数受けた場合、又は、前記遊技制御部が前記干渉行為と前記遊技者のクレジットが下限値を下回っていることとの両方を検出した場合、前記警報部は前記警告メッセージ又は前記警告信号を出力するように構成された、請求項１１に記載の遊技機。
【請求項１３】
前記記憶装置インタフェース部が前記外部記憶装置との接続を所定時間維持している場合、前記警報部は前記警告メッセージ又は前記警告信号を出力するように構成された、請求項１に記載の遊技機。
【請求項１４】
前記遊技制御部が前記所定時間に指示を受けなかった場合、前記警報部は前記警告メッセージ又は前記警告信号を出力するように構成された、請求項１３に記載の遊技機。
【請求項１５】
前記記憶装置インタフェース部が前記外部記憶装置との通信にエラーを検出し、前記遊技制御部が前記エラーの検出時から所定時間指示を受けなかった場合、前記警報部は前記警告メッセージ又は前記警告信号を出力するように構成された、請求項１に記載の遊技機。
【請求項１６】
前記遊技制御部がエラーによって遊技を強制終了した場合、前記警報部は前記警告メッセージ又は前記警告信号を出力するように構成された、請求項１に記載の遊技機。
【請求項１７】
カメラ又は画像処理装置を含む人体センサ又は遊技者監視部を更に有し、
前記人体センサ又は前記遊技者監視部によって検出された前記遊技者の位置に応じて、前記警報部は、前記警告メッセージ又は前記警告信号を出力するか否かを決定するように構成された、請求項１に記載の遊技機。
【請求項１８】
表示部、スピーカ、又は照明部のいずれかを更に有し、
前記警報部は、前記表示部若しくは前記スピーカを用いて、又は、前記照明部の明るさと色とを特定のパターンで変化させて、前記警告メッセージ又は前記警告信号を出力するように構成された、請求項１に記載の遊技機。
【請求項１９】
前記警報部は、外部の表示装置若しくは外部のスピーカに前記警告メッセージ又は前記警告信号を出力し、又は、前記照明部の明るさと色とを特定のパターンで変化させるように構成された、請求項１に記載の遊技機。
【請求項２０】
前記警報部はネットワークを通して特定の装置に前記警告メッセージ又は前記警告信号を送信するように構成された、請求項１に記載の遊技機。
【請求項２１】
遊技者からチケットを受け取り、前記チケットに印刷されたデータから金銭情報を解読するように構成されたチケット読取部、及び、
新たなチケット、又は前記チケット読取部の中に受け取られたチケットに、前記金銭情報を示すデータを印刷するように構成されたチケット印刷部、
を更に有し、
前記警報部は、前記警告メッセージ又は前記警告信号を前記チケット印刷部に送信するように構成され、
前記チケット印刷部は、前記警告メッセージ、又は前記警告信号を表す特定の記号を、前記新たなチケット又は前記チケット読取部の中に受け取られたチケットに印刷するように構成された、
請求項１に記載の遊技機。
【請求項２２】
前記記憶装置インタフェース部が前記外部記憶装置との接続を切断した場合、前記警報部は前記警告メッセージ又は前記警告信号の出力を停止するように構成された、請求項１に記載の遊技機。
【請求項２３】
前記警報部は前記個人情報を用いて前記警告メッセージ又は前記警告信号を出力するように構成された、請求項１に記載の遊技機。
【請求項２４】
遊技プログラムを格納するように構成された記憶部を含むサーバ、及び、
前記サーバと通信するように構成された遊技機、
を有する遊技システムであり、
前記遊技機が、
外部記憶装置と通信して、遊技者の個人情報を交換するように構成された記憶装置インタフェース部、
前記個人情報の項目を前記遊技者の識別情報又は遊技に関する金銭情報として利用するように構成された個人情報管理部、
前記遊技プログラムを前記記憶部からダウンロードし、前記遊技プログラムを実行し、前記遊技者によって入力されたデータに応じて遊技機能を制御し、遊技結果に応じて前記金銭情報を変更するように構成された遊技制御部、及び、
遊技状態に応じて、又は、前記遊技制御部が前記遊技者から受信した特定の信号に応じて、前記外部記憶装置が前記記憶装置インタフェース部と通信可能な位置にあることを示す警告メッセージ又は警告信号を出力するように構成された警報部、
を含む、遊技システム。
【請求項２５】
前記遊技機に接続された表示装置、スピーカ、又は照明装置のいずれかを更に有し、
前記警報部は、前記表示装置若しくは前記スピーカを用いて、又は、前記照明装置の明るさと色とを特定のパターンで変更して、前記警告メッセージ又は前記警告信号を出力するように構成された、請求項２４に記載の遊技システム。
【請求項２６】
サーバ、及び、
前記サーバと通信するように構成された遊技機、
を有する遊技システムであり、
前記サーバは、
前記遊技機で遊技を行う遊技者の個人情報を、前記遊技者の識別情報又は遊技に関連する金銭情報として利用するように構成された個人情報管理部、及び、
遊技プログラムを実行し、前記遊技者によって入力された指示と入力データとを前記遊技機から受け、前記指示と前記入力データとに応じて、遊技機能を制御するための命令と出力データとを前記遊技機に出力し、遊技結果に応じて前記金銭情報を変更するように構成された遊技制御部、
を含み、
前記遊技機は、
外部記憶装置と通信して前記遊技者の個人情報を交換するように構成された記憶装置インタフェース部、
前記遊技制御部に前記個人情報、前記指示、及び前記入力データを送信し、前記遊技制御部から前記命令及び前記出力データを受信し、前記命令及び前記出力データに応じて前記遊技機に遊技機能を実行させるように構成されたサーバインタフェース部、並びに、
遊技状態に応じて、又は、前記遊技制御部が前記遊技者から受信した特定の信号に応じて、前記外部記憶装置が前記記憶装置インタフェース部と通信可能な位置にあることを示す警告メッセージ又は警告信号を出力するように構成された警報部、
を含む、遊技システム。
【請求項２７】
前記遊技機に接続された表示装置、スピーカ、又は照明装置のいずれかを更に有し、
前記警報部は、前記表示装置若しくは前記スピーカを用いて、又は、前記照明装置の明るさと色とを特定のパターンで変更して、前記警告メッセージ又は前記警告信号を出力するように構成された、請求項２６に記載の遊技システム。
【発明の詳細な説明】
【技術分野】
【０００１】
本発明は遊技機及び遊技システムに関し、特に、遊技機の上に置かれた外部記憶装置とデータを交換できるものに関する。
【背景技術】
【０００２】
遊技機の中には、例えば、磁気カード、メモリカード、ＩＣカード、携帯電話などの外部記憶装置と、遊技者の個人情報若しくは金銭情報、又は遊技データなどのデータを交換できるものが知られている。そのような種類の遊技機は、ゲームセンター、パチンコ店、若しくはカジノに設置され、又は家庭用である。
【０００３】
例えば、特にカジノに設置される遊技機には、遊技者に、そのカジノで遊技に費やした金額に応じたポイント数を与えるものがある。各遊技者には遊技前に、カジノのサーバへの登録の見返りにハウスカードが発行される。ハウスカードは、そのカジノ内で使用可能な携帯型記憶装置である。ハウスカードには、そのカード自体の識別データ（カードＩＤ）又は遊技者の識別データ（遊技者ＩＤ）が記憶されている。遊技の開始時、遊技者はまず、遊技機に備え付けられているカードスロットに自分のハウスカードを挿入する。そのとき、遊技機はそのハウスカードからカードＩＤ／遊技者ＩＤを読み取り、そのＩＤを用いて、サーバに記憶されている遊技者のポイント数を遊技に応じて増加させる。こうして、サーバは遊技者のポイントの総数を常に把握している。遊技者はポイントの総数に応じて、無料宿泊券などの特典を受けることができる。
【０００４】
別の遊技機、特にパチンコ店に設置されているパチンコ機では、遊技にプリペイドカードを利用することができる。この遊技機はカードスロットを用いてプリペイドカードから金銭情報を読み込み、その金銭情報の示す遊技者の金銭を遊技に利用する（例えば、遊技者に、ある数のパチンコ玉を使用させる）。
【０００５】
特にゲームセンターに設置されている遊技機や家庭用遊技機では、次回の遊技のために遊技データをメモリカードに保存することができる。次回の遊技の開始時、遊技者はまず、遊技機に備え付けられているホルダの上に自分のメモリカードを載せる。そのとき、遊技機はそのメモリカードから遊技データを読み取り、その遊技データを使って遊技を、遊技者が前回に止めたところから再開する。
【０００６】
近年、遊技機に対する非接触式ＩＣカードシステムの応用技術の開発が進められている。この応用技術は、遊技機でＩＣカードを、ハウスカード、プリペイドカード、およびメモリカードとして利用することを目指している。ＩＣカードは磁気カードより記憶容量が大きいので、カードリーダ／ライタが、セキュリティをより高いレベルに保ったまま、データを交換できる。それにより、遊技機の機能設計の柔軟性及び多様性を向上させることができる。また、遊技機がＩＣカードと無線でデータを交換できる。それにより、カードスロットやホルダの構造が容易に簡単化される。特に、遊技機の上に取り付けられたパッドにカードリーダ／ライタを組み込み、ＩＣカードをそのパッドの上に置き、又はかざせばよい。こうして、非接触式ＩＣカードシステムの応用により、遊技機の操作性を向上させることができる。
【０００７】
更に、非接触式ＩＣカード機能を内蔵した、携帯電話やＰＤＡなどのモバイル機器がある。一方、上に載せられたモバイル機器のＩＣカード機能と無線で通信できると共に、そのモバイル機器に電力を無線で供給できるパッドがある。従って、この種のパッドを遊技機に取り付ければ、その遊技機が遊技中に遊技者に提供できるサービス、例えば、携帯電話などを充電するサービス、又は、遊技者が携帯電話やポータブルＤＶＤプレーヤの画面でテレビなどを観ることができるようにするサービスを向上させることができる。
【０００８】
非接触式ＩＣカードシステムを遊技機に応用する欠点は、遊技に夢中になった遊技者は、クレジットを全部使い果たした場合や、ジャックポットを獲得した場合に、自分のＩＣカードなどを遊技機の上に不注意に置き忘れやすいことである。ＩＣカード、特に携帯電話やＰＤＡは、貴重品であるだけでなく、遊技者の金銭情報及び個人情報を含む。従って、遊技者が自分のＩＣカードなどを遊技機に不注意に置き忘れることを防ぐ機能が、遊技機には必要である。
【発明の開示】
【発明が解決しようとする課題】
【０００９】
以上のことを鑑みれば、遊技者が自分のＩＣカードなどを遊技機の上に不注意に置き忘れる危険性を減らすように改良された遊技機が求められていることは、当業者には以下の開示内容から明白であろう。本発明は、その技術分野におけるこの要求に、他の要求と共に応えるものであり、当業者には以下の開示内容から明白になるであろう。
【課題を解決するための手段】
【００１０】
本発明によれば、記憶装置インタフェース部、個人情報管理部、遊技制御部、及び警報部を含む遊技機が提供される。記憶装置インタフェース部は、遊技機の上に置かれた外部記憶装置と通信して遊技者の個人情報を交換するように構成されている。記憶装置インタフェース部は好ましくは、パッド、スロット、又はホルダを有し、その上又はその中に配置された外部記憶装置と通信するように構成されている。個人情報管理部は、個人情報の項目を遊技者の識別情報又は遊技に関する金銭情報として利用するように構成されている。遊技制御部は、遊技プログラムを実行し、遊技者が遊技機に入力したデータに応じて遊技機能を制御するように構成されている。遊技制御部はまた、遊技結果に応じて金銭情報を変更するように構成されている。警報部は、外部記憶装置が記憶装置インタフェース部と通信可能な位置にあることを示す警告メッセージ又は警告信号を出力するように構成されている。記憶装置インタフェース部が、パッドの上、又はスロット若しくはホルダの中に置かれた外部記憶装置と通信する場合、警報部は好ましくは、記憶装置インタフェース部と外部記憶装置との間の接続、又は、パッドの上、若しくは、スロットやホルダの中の外部記憶装置の有無を監視するように構成されている。警報部は更に、遊技状態に応じて、又は、遊技制御部が遊技者から受けた特定の信号に応じて、警告メッセージ又は警告信号を出力するように構成されている。従って、その警告メッセージ又は警告信号を適時に、特に遊技者が自分の外部記憶装置を遊技機の上に不注意に置き忘れそうなときに、遊技者やカジノの従業員に与えることができる。こうして、遊技機は、警告メッセージや警告信号を不必要に表示することで遊技者を煩わすことなく、遊技者が自分の外部記憶装置を失くす危険性を効果的に減らすことができる。
【００１１】
好ましくは、遊技者のクレジットを現金、若しくは、外部記憶装置に格納される金銭情報に変換する旨の指示を遊技制御部が遊技者から受けた場合、又は、遊技制御部がそのクレジットを現金又は金銭情報に変換し終わった場合、警報部は警告メッセージ又は警告信号を出力するように構成されている。この変換は通常、遊技者がその遊技機での遊技を終えるときに行われる。従って、遊技者が遊技を終えてその遊技機から離れるとき、警告メッセージ又は警告信号をその遊技者やカジノの従業員に与えることができる。
【００１２】
警報部は好ましくは、次のいずれかの場合に警告メッセージ又は警告信号を出力するように構成されている。すなわち、一回の遊技の終わりに遊技者のクレジットがゼロになっていることを遊技制御部が検出した場合、クレジットがゼロになっていることを遊技制御部が検出してから所定時間、遊技制御部が遊技者からクレジットの追加を受けなかった場合、又は、クレジットがゼロになっていることを遊技制御部が検出した後に遊技者からその遊技機での遊技停止の指示を受けた場合のいずれかである。それらの場合、遊技者が遊技を止めてその遊技機から離れる可能性が高い。従って、警告メッセージ及び警告信号が有効である。
【００１３】
同様の理由から、警報部は、次のいずれかの場合に警告メッセージ又は警告信号を出力するように構成されていてもよい。すなわち、一回の遊技の終わりに遊技者のクレジットが賭け金の最小額を下回ったことを遊技制御部が検出した場合、遊技者のクレジットが賭け金の最小額を下回ったことを検出してから所定時間、遊技制御部が遊技者からクレジットの追加を受けなかった場合、又は、遊技者のクレジットが賭け金の最小額を下回ったことを遊技制御部が検出した後に、遊技制御部が遊技者からその遊技機での遊技停止の指示を受けた場合のいずれかである。
【００１４】
好ましくは、遊技制御部が遊技者から、その遊技機での遊技の中断の指示を受けた場合に、警報部は警告メッセージ又は警告信号を出力するように構成されている。通常、遊技者が遊技機から離れて休憩するとき、その指示は遊技機に入力される。従って、警告メッセージ及び警告信号が有効である。
【００１５】
好ましくは、遊技制御部が遊技者にジャックポット又は所定額を上回る賞金を与えることを決定した場合に、警報部は警告メッセージ又は警告信号を出力するように構成されている。その他に、遊技機が外部のジャックポット制御装置に接続されている場合、好ましくは、そのジャックポット制御装置が遊技者にジャックポットを与えることを決定した場合に、警報部は警告メッセージ又は警告信号を出力するように構成されている。それらの場合、遊技者は有頂天になって我を忘れやすい。もしそうならなくても、遊技者はジャックポットや賞金の獲得に満足して、その遊技機での遊技を止める可能性がかなり高い。従って、警告メッセージ及び警告信号が有効である。特に、遊技機が表示部を有し、遊技制御部が好ましくはその表示部にクレジットの値を表示するように構成されている場合、好ましくは、警報部は次の場合のいずれかに警告メッセージ又は警告信号を出力するように構成されている。すなわち、遊技制御部がジャックポット又は賞金の金額だけクレジットの表示値を増やす場合、遊技制御部がクレジットの表示値を増やし終えた場合、又は、遊技制御部がクレジットの表示値を増やし始めてから、若しくは増やし終えてから所定時間、遊技者から指示を受けなかった場合のいずれかである。
【００１６】
好ましくは、遊技制御部が遊技者から所定の種類の干渉行為を受けた場合に、警報部は警告メッセージ又は警告信号を出力するように構成されている。干渉行為の種類には、好ましくは、ボタンを繰り返し叩く、１ラウンド当たりの遊技時間を速める、メッセージの表示をスキップさせるなど、遊技者のいらだちを示す行為が含まれる。更に好ましくは、遊技制御部が遊技者から一定時間内に上記の干渉行為を所定の回数受けた場合、又は、遊技制御部が干渉行為と遊技者のクレジットが下限値を下回っていることとの両方を検出した場合、警報部は警告メッセージ又は警告信号を出力するように構成されている。そのような種類の干渉行為が頻繁に、又はクレジットの不足時に発生した場合、遊技者が遊技を止めてその遊技機から離れる可能性がかなり高い。従って、警告メッセージ及び警告信号が有効である。
【００１７】
好ましくは、記憶装置インタフェース部が外部記憶装置との接続を所定時間、有効に維持している場合に、警報部は警告メッセージ又は警告信号を出力するように構成されている。遊技開始から所定時間が経過した場合、遊技者が遊技を止めてその遊技機から離れる可能性はかなり高い。従って、警告メッセージ及び警告信号が有効である。この場合、更に好ましくは、遊技制御部がその所定時間内に遊技者から指示を受けなかった場合、警報部は警告メッセージ又は警告信号を出力するように構成されている。この状態では、遊技者はおそらく、遊技の途中で居眠りをしている。従って、警告メッセージ及び警告信号が有効である。尚、警報部又は遊技制御部は、その経過時間の計測からフィーチャーゲームやボーナスゲームの時間を外してもよい。
【００１８】
好ましくは、記憶装置インタフェース部が外部記憶装置との通信にエラーを検出し、遊技制御部がそのエラーの検出時から所定時間、遊技者から指示を受けなかった場合に、警報部は警告メッセージ又は警告信号を出力するように構成されている。この状態では、遊技者はおそらく、外部記憶装置に生じたエラーに気づいていない。この場合、遊技者は自分の外部記憶装置を遊技機の上に不注意に置き忘れやすい。従って、警告メッセージ及び警告信号が有効である。
【００１９】
好ましくは、遊技制御部がエラーによって遊技を強制終了した場合に、警報部は警告メッセージ又は警告信号を出力するように構成されている。この状態では、遊技者は通常、遊技機を離れるしかない。従って、警告メッセージ及び警告信号が有効である。
【００２０】
上記の遊技機は、カメラ及び画像処理装置を含む人体センサ又は遊技者監視部を有してもよい。この場合、好ましくは、人体センサ又は遊技者監視部を用いて検出された遊技者の位置に応じて、警報部は、警告メッセージ又は警告信号を出力するか否かを決定するように構成されている。特に、遊技者が遊技機の前又は周囲に居ない場合、又は、遊技者が遊技機からある程度離れている場合、警報部は警告メッセージ又は警告信号を出力するように構成されている。これは、遊技者が遊技機の上に自分の外部記憶装置を不注意に置き忘れたことを、遊技者やカジノの従業員にすぐに知らせるのに有効である。
【００２１】
好ましくは、表示部若しくはスピーカを用いて、又は、警告信号を示す特定のパターンで照明部の明るさと色とを変化させることにより、警報部は警告メッセージ又は警告信号を出力するように構成されている。ここで、遊技機は好ましくは、その表示部、そのスピーカ、又はその照明部を有する。その他に、遊技機が、外部の表示装置、外部のスピーカ、又は外部の照明装置に接続されてもよい。この場合、好ましくは、その表示装置、スピーカ、又は照明装置は、遊技機が設置されたフロアの出口に設置される。更に、遊技機が外部ネットワークに接続され、警報部がそのネットワークを通して特定の装置に警告メッセージ又は警告信号を送信するように構成されていてもよい。その特定の装置は、好ましくは、カジノに設置されたサーバ、及びカジノの従業員が所有するモバイル機器を含む。それにより、従業員は、遊技機に置き忘れられた外部記憶装置をすぐに回収できる。
【００２２】
上記の遊技機は更に、チケット読取部及びチケット印刷部を有してもよい。チケット読取部は、遊技者からチケットを受け取り、そのチケットに印刷されたデータから金銭情報を解読するように構成されている。チケット印刷部は、その金銭情報を示すデータを新たなチケット又はチケット読取部の中に受け取られたチケットに印刷するように構成されている。この場合、好ましくは、警報部は警告メッセージ又は警告信号をチケット印刷部に送信するように構成され、チケット印刷部は、その警告メッセージ、又はその警告信号を表す特定の記号を、上記の新たなチケット又はチケット読取部の中に受け取られたチケットに印刷するように構成されている。遊技者が遊技機から離れるときにチケットを忘れることはほとんどない。従って、警告メッセージ及び警告信号が有効である。
【００２３】
好ましくは、記憶装置インタフェース部が外部記憶装置との接続を切断した場合に、警告部は警告メッセージ及び警告信号の出力を停止するように構成されている。それにより、警報部は消費電力を削減できるだけでなく、不要な警告メッセージや警告信号で遊技者を煩わせずにすむ。
【００２４】
好ましくは、警報部は個人情報を用いて警告メッセージ又は警告信号を出力するように構成されている。例えば、警告メッセージ又は警告信号に対象の遊技者の氏名や顔写真が含まれてもよい。遊技者の外部記憶装置がネットワークから電話やＥメールを受ける機能を持つ場合、警報部はそのネットワークを通してその外部記憶装置に警告メッセージ又は警告信号を送信してもよい。あるいは、警報部は電話やＥメールで遊技者の携帯電話に警告メッセージ又は警告信号を送ってもよい。
【００２５】
上記の遊技機は、スタンドアロン型でもダウンロード型でもよい。ダウンロード型の遊技機はサーバに接続されている。好ましくは、そのサーバは、遊技プログラムを格納するように構成された記憶部を有する。この場合、遊技制御部は好ましくは、その記憶部から遊技プログラムをダウンロードして、その遊技プログラムを実行することにより、遊技機能を制御するように構成されている。
【００２６】
本発明は、シンクライアント型の遊技システムに適用されてもよい。この遊技システムは好ましくは、互いに通信可能に構成されたサーバ及び遊技機を有する。
【００２７】
サーバは好ましくは、個人情報管理部及び遊技制御部を有する。個人情報管理部は好ましくは、上記の遊技機で遊技を行う遊技者の個人情報の項目を、その遊技者の識別に利用し、又は遊技に関する金銭情報として利用するように構成されている。遊技制御部は好ましくは、遊技プログラムを実行することにより、上記の遊技機での遊技を次のように行うように構成されている。遊技制御部は、その遊技機が遊技者から受けた指示及び入力データをその遊技機から受信する。そのとき、遊技制御部はその指示や入力データに応じて、その遊技機に、その遊技機能を制御するための命令や出力データを与える。遊技制御部は更に、遊技結果に応じて金銭情報を変更する。
【００２８】
上記の遊技機は好ましくは、記憶装置インタフェース部、サーバインタフェース部、及び警報部を有する。記憶装置インタフェース部は好ましくは、外部記憶装置と通信して遊技者の個人情報を交換するように構成されている。サーバインタフェース部は好ましくは、その個人情報、上記の指示、及び上記の入力データを上記の遊技制御部に送信し、その遊技制御部から上記の命令及び上記の出力データを受信するように構成されている。それにより、サーバインタフェース部は遊技機に、その命令及び出力データに応じた遊技機能を実行させる。警報部は好ましくは、遊技状態に応じて、又は遊技制御部が遊技者から受信した特定の信号に応じて、外部記憶装置が記憶装置インタフェース部と通信可能な位置にあることを示す警告メッセージ又は警告信号を出力するように構成されている。特に、この遊技システムは好ましくは、上記の遊技機に接続された表示装置、スピーカ、又は照明装置を有する。この場合、警報部は好ましくは、その表示装置若しくはスピーカを用いて上記の警告メッセージ又は警告信号を出力し、又は、その警告信号を示す特定のパターンでその照明装置の明るさと色とを変化させるように構成されている。
【００２９】
本発明のこれらの、及びその他の目的、特徴、観点、及び利点は、以下の詳細な説明から当業者には明白になるであろう。その詳細な説明では、添付の図面と共に、本発明の好適な実施形態が開示される。
【発明を実施するための最良の形態】
【００３０】
以下、図面を参照しながら、本発明の好適な実施形態について説明する。本発明の好適な実施形態についての以下の記載が例示のみを目的とし、本発明を添付の特許請求の範囲及びそれに均等な範囲によって定められるものに制限することを目的としていないことは、当業者にはこの開示内容から明白であろう。
【００３１】
本発明の好適な実施形態によれば、ある遊技システムが、好ましくはカジノに設置されている。図１を参照すると、その遊技システムは、１台以上の遊技機１０とサーバ２０とを含む。それらはＬＡＮ３０を通して互いに接続されている。遊技機１０は、好ましくはカジノの複数のフロアに設置されている。サーバ２０は、好ましくは警備室に設置されている。その警備室は遊技者の立ち入りが禁止され、カジノの従業員によって施錠されている。この遊技システムは更に、ジャックポット制御装置４０及び大画面ディスプレイ５０を含んでもよい。それらもまた、ＬＡＮ３０を通して互いに接続されている。ジャックポット制御装置４０は、好ましくはカジノフロアに設置され、又は１台の遊技機１０に内蔵されている。大画面ディスプレイ５０は、好ましくはカジノフロアの壁又は出口に設置されている。
【００３２】
各遊技機１０は好ましくはビデオスロットマシンであり、例えば図２に示されているようなものである。各遊技機１０はその他に、機械式リールを備えたスロットマシン、ポーカーマシン、ルーレットマシン、又は、他のビデオ式若しくは機械式遊技機であってもよい。遊技機１０は好ましくは、箱型の筐体１、２つの表示窓２Ａ、２Ｂ、チケットスロット４、タッチパネル５、スピンボタン６、及びパッド７を有する。２つの表示窓２Ａ、２Ｂは好ましくは、筐体１の前面の上部と中央部とにそれぞれ設けられている。チケットスロット４は好ましくは、筐体１の前面の中央部に取り付けられている。筐体１は好ましくは、その前面に張り出した部分を含む。その張り出し部分に、タッチパネル５、スピンボタン６、及びパッド７は設置されている。尚、遊技機１０は、コイン投入口、紙幣投入口、コイン払出口、又はコイントレイを有してもよい。
【００３３】
２つの表示窓２Ａ、２Ｂはフラットパネルディスプレイ（例えば、ＬＣＤ、ＰＤＰ、又はＯＬＥＤ）を含む。主表示窓２Ａは遊技画面３を表示する。その遊技画面３は、図２及び図６Ａに示されているように、例えば３列のグラフィックの図柄、すなわちビデオリール３Ａ、３Ｂ、３Ｃを含む。各ビデオリール３Ａ〜３Ｃには好ましくは３つずつ図柄が表示されるので、３×３の図柄のマトリクスが遊技画面３に現れる。遊技画面３は遊技状態に応じてパターンを変化させる。特に、スピンと停止とを繰り返す機械式リールの外周面に表示された図柄のように、各ビデオリール３Ａ〜３Ｃでは様々な図柄が垂直方向に移動し、図柄のマトリクスが停止したときの配置を変化させる。遊技画面３はまた、３種類のメーターを含む。それらは、利用可能なクレジットの値、賭け金の量、及び、遊技者が獲得した配当の金額を示す。副表示窓２Ｂは好ましくは、遊技者の個人情報の特定の項目を表示する。それらの項目は好ましくは、遊技者の氏名や写真、及び、その遊技者がカジノで使った金額に応じてその遊技者に与えられたポイント数を含む。それら２つの表示窓２Ａ、２Ｂは、例えば、遊技開発者のロゴなどの装飾用画像、広告用画像、遊技の視覚効果用の画像、並びに、配当表、遊技内容の説明、及びジャックポットの金額などの遊技に関する視覚化情報といった、様々な種類の画像を表示できる。
【００３４】
チケットスロット４は、遊技者から専用のチケットを受け付ける。このチケットは、好ましくは紙片又はプラスチック製のカードである。そのチケットの表面にはクレジットの数とバーコードとが印刷されている。バーコードはそのクレジットの値を示す。遊技者がそのチケットをチケットスロット４に挿入すると、チケットスロット４に組み込まれたチケットリーダがそのバーコードからクレジットの値を解読する。そのとき、その解読された値が表示窓２Ａ又は２Ｂに、その遊技者が利用可能なクレジットの値として現れる。遊技者が遊技機１０に対して、自分のクレジットをチケットで支払うことを指示している場合、チケットスロット４に組み込まれたチケットプリンタが、新たなチケットを発行し、又は挿入されたチケットに上書きする。そのチケットには、遊技者のクレジットの値が数字とバーコードとで印刷される。
【００３５】
尚、遊技機１０が、硬貨・紙幣計数機、硬貨・紙幣識別機、又は硬貨・紙幣ホッパーを用いて、遊技者から硬貨や紙幣を受け取り、その遊技者にクレジットを現金で支払ってもよい。この場合、遊技機１０は、それらの硬貨及び紙幣の総額に等しいクレジットの値を表示窓２Ａ又は２Ｂに表示してもよい。
【００３６】
タッチパネル５とスピンボタン６とは遊技機１０の主要な入力装置を構成している。それらは遊技者から様々な種類の指示、特に遊技状態を変更するための指示を受け付ける。タッチパネル５は好ましくは、遊技機１０の特定の機能に個別に割り当てられた仮想ボタンのマトリクスを表示する。タッチパネル５は、遊技者の触れた位置を検出して、その検出された位置に表示されている仮想ボタンに割り当てられた機能を特定する。遊技者は、仮想ボタンに選択的に触れることによって、例えば、ペイラインの選択、選択されたペイラインに対する賭け金の量の選択、自分のクレジットの払い出しの指示、遊技の中断や終了の指示といった、様々な指示を入力する。その他に、キーボードの画像とテンキーの画像とがタッチパネル５に表示されてもよい。それにより、遊技者が自由に文字や数字を入力できる。スピンボタン６は大型の押しボタンであり、遊技者からビデオリール３Ａ〜３Ｃのスピン開始の合図を受け付ける。スピンボタン６は好ましくは、発光装置を内蔵したランプボタンである。尚、タッチパネル５に代えて、又はタッチパネル５に加えて、ベットボタンや払い出しボタンなどの押しボタンが筐体１に設けられていてもよい。
【００３７】
パッド７は好ましくは平板であり、カードリーダ／ライタを内蔵している。非接触式ＩＣカード機能を備えた外部の電子機器、すなわち、外部記憶装置８がそのパッド７の上又は近傍に置かれると、パッド７内のカードリーダ／ライタが無線でその外部記憶装置８と通信する。外部記憶装置８には、携帯電話８Ａ、ＰＤＡ８Ｂ、又はＩＣカード８Ｃ（図３Ａ、図３Ｂ、及び図３Ｃ参照）などの記憶装置が含まれる。これらの種類の外部記憶装置８Ａ、８Ｂ、８Ｃは、記憶容量がより大きく、セキュリティのより高いデータ交換が可能であるので、インテリジェント・ハウスカード、プリペイドカード、又はメモリカードとして機能する。
【００３８】
更に具体的には、外部記憶装置８は、識別データを遊技機１０に入力するためのハウスカードとして使用される。ここで、識別データは好ましくは、特定のＩＤコードを含む。そのＩＤコードは、外部記憶装置８ごとに、又は遊技者ごとに割り当てられ、遊技者の個人情報をサーバ２０に登録するのと引き換えに、外部記憶装置８に予め記憶されている。その個人情報は好ましくは、遊技者の氏名、写真、及びポイントの総数を含む。サーバ２０は、その識別データを、登録された遊技者の個人情報にリンクさせ、その識別データを用いてデータベースからその個人情報を検索する。特にサーバ２０は、その識別データを利用して、各遊技者に与えられるポイントの総数を常に把握している。
【００３９】
外部記憶装置８はまた、遊技機１０に記憶されたクレジットを増額するための、すなわち、クレジットの追加分として使用されるべき金銭情報を遊技機１０に入力するためのプリペイドカードとしても使用可能である。この場合、その金銭情報は好ましくは、ＬＡＮ３０上の特定のキオスク端末を利用して、外部記憶装置８に記憶される。この場合、サーバ２０は、外部記憶装置８に記憶された金銭情報の改訂履歴を常に把握している。その他に、外部記憶装置８は、電話網やインターネットなどの外部ネットワークにアクセスする機能を備えていてもよい。外部記憶装置８は、その外部ネットワークを通してクレジットカードシステムやデビットカードシステムを利用することにより、すなわち、クレジットカード会社から借金することにより、又は遊技者の預金口座から金銭を引き出すことにより、金銭情報を生成できる。この場合、サーバ２０は、遊技機１０に入力された金銭情報を、遊技者の個人情報と共に記録する。カジノは、その金銭情報及び個人情報を用いて、その金銭情報によって示されている料金をクレジットカード会社や遊技者の預金口座から受け取る。
【００４０】
外部記憶装置８はまた、遊技データ（例えば、現時点で利用可能なクレジットの値、現在の遊技の種類、状態、ラウンド数）を次回の遊技用に保存するためのメモリカードとしても使用可能である。遊技者は、遊技機１０での遊技を中断し、又は終了する場合、遊技データをパッド７の上の外部記憶装置８に保存する。次に同じ遊技機１０又は別の遊技機のいずれかで遊技を開始するとき、パッド７の上に置かれたその外部記憶装置８が、保存されたその遊技データを入力する。それにより、遊技機１０がその遊技データを用いて、その遊技の新たなラウンドを、前の遊技機１０で遊技者が遊技を停止させた時点での状態で再開する。
【００４１】
こうして、パッド７は遊技機１０の機能設計の柔軟性と多様性とを向上させることができる。更に、パッド７であれば、外部記憶装置８をその上に単に載せるだけでよい。こうして、パッド７は、遊技機１０の操作性を向上させることができる。特に、パッド７は遊技中に、携帯電話８ＡやＰＤＡ８Ｂを充電するために、又は、遊技者が携帯電話８ＡやＰＤＡ８Ｂの画面でテレビ番組などを観ることができるようにするために、携帯電話８ＡやＰＤＡ８Ｂに無線で電力を供給することができる。尚、パッド７は、パッド７より安定した状態で外部記憶装置８を保持できる専用のスロットやホルダに置き換えられてもよい。
【００４２】
遊技機１０は更にカメラ９を含む。そのカメラ９は好ましくは、筐体１の前面の中央部に取り付けられている（図２参照）。カメラ９は好ましくはＣＣＤ又はＣＭＯＳセンサであり、遊技機１０の前又は周囲にいる遊技者などの物体を撮影することにより、人体センサとして機能する。遊技機１０は、遊技者の有無、及び遊技者の位置を検出する別の種類の人体センサを有してもよい。
【００４３】
遊技機１０は更に、筐体１の上部又は側部に照明部を含む（図面には示されていない）。その照明部は主に、カジノの従業員に両替の要求やエラーを知らせる合図として使用される。その他に、その照明部は装飾や遊技の視覚効果に利用される。照明部は、点滅又は明るさや色の変化を特定のパターンで行うことができる。
【００４４】
遊技機１０はまた、好ましくは筐体１に内蔵されたスピーカも含む（図面には示されていない）。そのスピーカは、遊技中、音声によるアナウンスや音響効果を与える。
【００４５】
ジャックポット制御装置４０は、１台以上の遊技機１０にリンクしている。ジャックポット制御装置４０は、いずれの遊技機１０での抽選処理からも独立な抽選処理を用いて、リンクされた遊技機１０の１台にジャックポットを与えるか否かを決定する。ジャックポット制御装置４０がプログレッシブ型である場合、リンクされた遊技機１０のそれぞれに入力される賭け金を監視し、遊技機１０の１台にジャックポットが当たるまで、ジャックポットの金額を各賭け金の一定の割合ずつ、繰り返し増やす。
【００４６】
大画面ディスプレイ５０は、好ましくは、極めて大きな画面のフラットパネルディスプレイ（例えばＬＣＤ又はＰＤＰ）であり、その他に、一群の表示装置であってもよい。大画面ディスプレイ５０は、遊技機１０、サーバ２０、及びジャックポット制御装置４０からＬＡＮ３０を通して様々な画像データを受信して再生する。それらの画像は、好ましくは、カジノフロアの案内やマップ、各遊技機１０の動作状態、ジャックポットの現在の金額を含む。大画面ディスプレイ５０は、遊技機１０同様、照明部やスピーカを含んでもよい。
【００４７】
遊技機１０は、好ましくはスタンドアロン型又はダウンロード型であり、すなわち、図４に示されているように遊技制御部１１を備えている。遊技機１０は更に、遊技者追跡部１２及びジャックポット制御部１３を含む。それらの機能部１１、１２、１３は、好ましくは別々の制御基板に実装され、個別の通信ハンドラ１１Ａ、１２Ａを用いて、内部バス１４を通して互いに通信する。尚、それらの機能部１１、１２、１３の２つ以上が同じ制御基板に統合されていてもよい。
【００４８】
遊技制御部１１は、遊技プログラムを実行し、それにより、遊技者が遊技機１０に入力したデータに応じて遊技機能を、視覚／音響効果と共に制御する。遊技制御部１１はまた、遊技結果に応じてクレジットを変化させ、遊技者が遊技に使った金額に応じてポイント数を増やす。
【００４９】
図４を参照すると、遊技制御部１１は、通信ハンドラ１１Ａ、主制御部１１Ｂ、記憶部１１Ｃ、操作部１１Ｄ、ディスプレイ／スピーカドライバ１１Ｅ、及びチケットリーダ／プリンタドライバ１１Ｆを含む。通信ハンドラ１１Ａは、他の構成要素１１Ｂ〜１１Ｆを内部バス１４に接続する。主制御部１１Ｂは、遊技プログラムを実行し、それにより、遊技を行い、遊技状態に応じて、他の構成要素１１Ａ、１１Ｃ〜１１Ｆを、もし設置されていれば照明部と共に制御する。記憶部１１Ｃは、遊技プログラム、遊技者が利用可能なクレジットの値を示すクレジットデータ、及び、遊技者に与えられるべきポイント数を示すポイントデータを記憶する。記憶部１１Ｃはまた、主制御部１１に作業領域を提供する。スタンドアロン型では、主制御部１１Ｂは、好ましくは記憶部１１Ｃから遊技プログラムを呼び出す。ダウンロード型では、主制御部１１Ｂはまず、ＬＡＮ３０を通してサーバ２０の記憶部から記憶部１１Ｃに目標の遊技プログラムを転送し、次に、記憶部１１Ｃから遊技プログラムを呼び出す。主制御部１１Ｂは更に、チケットリーダ又は遊技者追跡部１２から受信されたデータに基づいて、記憶部１１Ｃ内のクレジットデータ及びポイントデータを初期化する。操作部１１Ｄは、タッチパネル５及びスピンボタン６を制御する。操作部１１Ｄは、タッチパネル５又はスピンボタン６を通して遊技者から指示を受け付ける。主制御部１１Ｂは、その指示に応じて、他の構成要素を操作し、遊技状態を変化させる。ディスプレイ／スピーカドライバ１１Ｅは、好ましくは、表示窓２Ａ、２Ｂ、タッチパネル５に内蔵の表示装置、及びスピーカを制御する。チケットリーダ／プリンタドライバ１１Ｆは、チケットスロット４に組み込まれたチケットリーダ／プリンタを制御して、チケットのバーコードからクレジットの値を解読し、様々な情報（特に、クレジットの値を示す数字とバーコード）をチケットに印刷する。
【００５０】
遊技制御部１１は、好ましくは次のステップで遊技を行う。
【００５１】
まず、操作部１１Ｄがタッチパネル５に仮想的な賭け金ボタンを表示する。遊技者はその仮想的な賭け金ボタン５を用いてペイラインを選択し、賭け金の量を入力する。ここで、ペイラインは、好ましくはビデオリール３Ａ〜３Ｃ（図６Ａ参照）上の３×３の図柄マトリクスの３行（及び２本の対角線）から選択される。操作部１１Ｄは、タッチパネル５によって検出された位置に基づいて、（選択されたペイライン及び賭け金の量を示す）賭け金データを受け付ける。そのとき、主制御部１１Ｂが記憶部１１Ｃにアクセスし、そこに記憶されたクレジットデータを更新して、賭け金の量をクレジットから差し引く。主制御部１１Ｂは更に、ディスプレイドライバ１１Ｅに、主表示窓２Ａの遊技画面３、特に賭け金の量を更新させる。
【００５２】
次に、主制御部１１Ｂは操作部１１Ｄに、スピンボタン６を使用可能にさせる。遊技者がスピンボタン６を押すと、操作部１１Ｄがその押下を検出して、スピン信号を主制御部１１Ｂに送信する。このスピン信号に応じて、主制御部１１Ｂはディスプレイドライバ１１Ｅに、垂直方向に移動する図柄を主表示窓２Ａに表示させる。すなわち、ビデオリール３Ａ〜３Ｃを回転させる。
【００５３】
それと同時に、主制御部１１Ｂは３つの乱数を生成し、それらを用いてビデオリール３Ａ〜３Ｃの停止位置を決定する。更に具体的には、主制御部１１Ｂは、それら３つの乱数にリンクされた図柄をそれぞれの「停止図柄テーブル」から検索する。停止図柄テーブルは、好ましくは記憶部１１Ｃに記憶されている。停止図柄テーブルは、乱数とビデオリール３Ａ〜３Ｃ上の図柄との間の関係を表す。主制御部１１Ｂは次に、ビデオリール３Ａ〜３Ｃの停止位置を、検索された図柄が各ビデオリール３Ａ〜３Ｃの中央に見える位置に決める（図６Ａ参照）。
【００５４】
更に、主制御部１１Ｂは抽選処理を行って、遊技者に賞を与えるか否かを決定する。より具体的には、主制御部１１Ｂはまず、３つの乱数の組み合わせを「役テーブル」から検索する。役テーブルは好ましくは記憶部１１Ｃに記憶されている。役テーブルは、３つの乱数の組み合わせと賞との間の関係を表す。賞の種類は、好ましくは、配当金、及び、イベント、ボーナスゲーム、又はフィーチャーゲームなどの特別な遊技を行う権利を含む。各賞は、役テーブルの中で３つの乱数の組み合わせの１つに関連付けられている。各乱数は、停止図柄テーブルの１つの中で図柄の１つに関連付けられている。従って、各賞は、ビデオリール３Ａ〜３Ｃ上に停止した図柄の特定の配列（すなわち、役）に関連付けられている。好ましくは、ビデオリール３Ａ〜３Ｃ上の３×３の図柄マトリクスの一行（又は一本の対角線）に同じ種類の図柄が並んだ配列に、役が割り当てられている。役の種類が賞の種類を表す。生成された乱数の組み合わせに関連付けられた賞が役テーブルの中にある場合、主制御部１１Ｂは、選択されたペイラインの１つに、その賞に対応する役が現れるか否かを調べる。もしそうであれば、主制御部１１Ｂは、その賞をその遊技者に与えることを決定する。特に、その役が現れるペイラインに対する賭け金の量に応じて、配当額又はボーナスゲームのラウンド数を決定する。
【００５５】
抽選処理の後、スピン信号の受信から所定時間が経過したとき、主制御部１１Ｂは表示装置１１Ｅに、３つの乱数を用いて決定された図柄を、ビデオリール３Ａ〜３Ｃに停止した状態で表示させる。抽選処理によって遊技者が配当金を獲得した場合、主制御部１１Ｂはクレジットデータを更新して、その配当額をクレジットに加算する。主制御部１１Ｂは更に、ディスプレイ／スピーカドライバ１１Ｅに、タッチパネル５、スピンボタン６、表示窓２Ａ、２Ｂ、及びスピーカを使用して、配当金の獲得を示す視覚／音響効果を生じさせるための命令を与える。
【００５６】
一回のラウンドが終了するごとに、主制御部１１Ｂは好ましくは、ポイントデータを更新して、そのポイント数に、そのラウンドで使われた賭け金の量に応じて遊技者に与えられるべき数を加算する。ディスプレイドライバ１１Ｅは、そのとき、表示窓２Ａ又は２Ｂに表示されたポイント数を更新する。
【００５７】
遊技者追跡部１２は、好ましくは外部記憶装置８とサーバ２０との間のインタフェースとして機能する。遊技者追跡部１２は特に、外部記憶装置８に記憶された個人情報を用いて、サーバ２０にポイント数及び金銭情報を常に把握させる。
【００５８】
図４を参照すると、遊技者追跡部１２は、通信ハンドラ１２Ａ、サーバインタフェース部１２Ｂ、記憶装置インタフェース部１２Ｃ、個人情報管理部１２Ｄ、遊技者監視部１２Ｅ、及び警報部１２Ｆを含む。通信ハンドラ１２Ａは、他の構成要素１２Ｂ〜１２Ｆを内部バス１４に接続する。サーバインタフェース部１２Ｂは、好ましくは内部バス１４とＬＡＮ３０との間のブリッジとして機能し、特に、ＬＡＮ３０を通してサーバ２０に、ポイント数及び金銭情報を含む個人情報を送信する。記憶装置インタフェース部１２Ｃは、好ましくはパッド７を用いて、その上に置かれた外部記憶装置８と通信し、特に、外部記憶装置８との間で遊技者の個人情報を交換する。個人情報管理部１２Ｄは、好ましくは、個人情報の項目を遊技者の識別に利用し、又は金銭情報として用いる。遊技者監視部１２Ｅは、好ましくはカメラ９と画像処理装置との組み合わせを人体センサとして利用し、遊技機１０の前又は周辺でカメラ９によって捉えられた物体から、遊技者の有無とその位置とを検出する。警報部１２Ｆは、好ましくは記憶装置インタフェース部１２Ｃと外部記憶装置８との間の接続を監視する。警報部１２Ｆはまた、例えばパッド７に内蔵されたタッチセンサを用いて、パッド７の上の外部記憶装置８の有無を監視してもよい。その接続又は外部記憶装置８の存在が検出された場合、警報部１２Ｆは、更に好ましくは、遊技状態に応じて、又は遊技制御部１１が遊技者から受信した特定の信号に応じて、警告メッセージ又は警告信号を出力する（詳細については後述する）。
【００５９】
遊技者が遊技機１０で遊技を開始するとき、遊技者追跡部１２は、その遊技者の認証、及び、クレジットデータとポイントデータとの初期化を、好ましくは以下のステップで行う。
【００６０】
その遊技者が自分の外部記憶装置８をパッド７の上に置くと、まず、記憶装置インタフェース部１２Ｃがその外部記憶装置８との接続を確立する。そのとき、個人情報管理部１２Ｄがその外部記憶装置８から記憶装置インタフェース部１２Ｃを通して個人情報を読み取る。個人情報管理部１２Ｄは次に、読み取られた個人情報から、その外部記憶装置８又はその遊技者に割り当てられたＩＤコードを抽出し、サーバインタフェース部１２Ｂを通してサーバ２０にそのＩＤコードを送信する。そのＩＤコードに応じて、サーバ２０は、そのＩＤコードにリンクされた個人情報をデータベースから検索し、その個人情報に含まれる識別情報の特定の項目を返す。そのとき、個人情報管理部１２Ｄがサーバインタフェース部１２Ｂを通してその特定の項目を受信して、外部記憶装置８から読み取られた個人情報の対応する項目と照合する。それらの項目が一致する場合、個人情報管理部１２Ｄは、読み取られた個人情報から金銭情報とポイントデータとを抽出して記憶部１１Ｃに格納する。続いて、主制御部１１Ｂが、その格納されたデータに基づいて、記憶部１１Ｃ内のクレジットデータとポイントデータとを初期化する。ここで、主制御部１１Ｂは遊技者に、金銭情報から変換されるべきクレジットの値を、タッチパネル５によって決定させてもよい。それらの項目が一致しない場合、個人情報管理部１２Ｄは、遊技制御部１１、サーバ２０、及びカジノの従業員所有の装置に認証エラーを通知する。更に、遊技制御部１１が、表示窓２Ａ、２Ｂの画像及びスピーカからの音を用いて、遊技者にエラーを知らせる。それに加え、個人情報管理部１２Ｄが記憶装置インタフェース部１２Ｃを外部記憶装置８から切断する。尚、個人情報管理部１２Ｄではなく、サーバ２０が、識別情報の特定の項目をチェックしてもよい。
【００６１】
遊技者が遊技機１０での遊技を止めるとき、遊技者追跡部１２が、好ましくは以下のステップで、残りのクレジットを示す金銭情報を外部記憶装置８に格納し、ポイントデータをサーバ２０に格納する。
【００６２】
遊技者が、例えばタッチパネル５に表示された仮想的な払い出しボタンを押して、遊技停止の指示を操作部１１Ｄに入力すると、遊技制御部１１がまず、その遊技者に残りのクレジットの支払い方法、すなわち、チケットで支払うか、金銭情報として外部記憶装置８に格納するかを選択させる。操作部１１Ｄが、クレジットを金銭情報へ変換する指示を受け付けた場合、個人情報管理部１２Ｄは、記憶部１１Ｃから記憶装置インタフェース部１２Ｃを通して外部記憶装置８にクレジットデータを転送する。（その後、そのクレジットデータは記憶部１１Ｃから消去される。）一方、個人情報管理部１２Ｄは、サーバインタフェース部１２Ｂを通してサーバ２０に、ポイントデータをＩＤコードと共に転送する。サーバ２０はそのとき、そのＩＤコードにリンクされた個人情報をデータベースから検索し、その個人情報に含まれるポイントデータを、個人情報管理部１２Ｄから受信された新たなポイントデータに置き換える。こうして、サーバ２０はその遊技者のポイント数を常に把握している。
【００６３】
ジャックポット制御部１３は、好ましくはサーバインタフェース部１２Ｂ及びＬＡＮ３０を通して外部のジャックポット制御装置４０にリンクしている（図１参照）。尚、ジャックポット制御装置４０が、遊技機１０の１台にジャックポット制御部１３として組み込まれていてもよい。ジャックポット制御部１３は内部バス１４を通し、操作部１１Ｄによって受け付けられた遊技者の賭け金を監視し、各賭け金を外部のジャックポット制御装置４０に通知する。外部のジャックポット制御装置４０は、賭け金の情報を受信するごとに抽選処理を行う。その抽選処理により、ジャックポットを与えるか否かが決定される。外部のジャックポット制御装置４０はプログレッシブ型である場合、ジャックポットが当たるまで、ジャックポットの金額を各賭け金の一定の割合ずつ増やしていく。ジャックポット制御部１３はそのとき、外部のジャックポット制御装置４０にアクセスして、ジャックポットの最新の金額と、ジャックポットが当たったか否かをチェックする。一方、遊技制御部１１は、遊技のラウンドごとにジャックポット制御部１３にジャックポットの最新の金額を問い合わせて、ジャックポットの最新の金額を表示窓２Ａ又は２Ｂに表示する。外部のジャックポット制御装置４０が遊技機１０の１台にジャックポットが当たることを決定した場合、その該当する遊技機１０のジャックポット制御部１３がジャックポットを検出し、遊技制御部１１に対し、特定の視覚／音響効果によって遊技者にジャックポットの獲得を知らせて、遊技者のクレジットにジャックポットの金額を加算する旨の命令を出力する。例えば、遊技制御部１１は、華やかなファンファーレと共に、主表示窓２Ａに表示されるクレジットの値を徐々に増やす。
【００６４】
遊技機１０はシンクライアント型であってもよい。図５を参照すると、遊技機１０のサーバインタフェース部１０Ａは、ＬＡＮ３０を通してサーバ２０のネットワークインタフェース部２０Ａと通信する。サーバ２０は、遊技機１０の代わりに、個人情報管理部２０Ｂ及び遊技制御部２０Ｃ（特に、遊技プログラムを実行する主制御部と、その遊技プログラムを格納する記憶部）を含む。その他の機能部１０Ａ〜１０Ｇは、図４に示されている機能部１１Ｄ〜１１Ｆ、１２Ｂ、１２Ｃ、１２Ｅ、１２Ｆと同様である（詳細については、機能部１１Ｄ〜１１Ｆ、１２Ｂ、１２Ｃ、１２Ｅ、１２Ｆについての記載参照）。個人情報管理部２０Ｂ及び遊技制御部２０Ｃはそれぞれ、図４に示されている同等な機能部１１及び１２をエミュレートする。従って、遊技処理に関する命令及びデータはＬＡＮ３０を通して交換される。尚、遊技機１０に含まれる他の機能部１０Ａ〜１０Ｇに必要なＣＰＵの能力は、スタンドアロン型やダウンロード型の遊技機１０に必要な能力よりも低いので、それらの機能部は、好ましくは図５に示されているように、同じ制御基板に統合されている。その他に、それらの機能部が、図４に示されているように、２枚の制御基板に分けられていてもよい。更に、遊技者監視部１０Ｆ又は警報部１０Ｇの少なくともいずれかがサーバ２０に移設されていてもよい。この場合、遊技者監視部１０Ｆは、カメラ９の代わりに、又はカメラ９に加えて、カジノフロアに設置されてＬＡＮ３０に接続された監視カメラを使用してもよい。
【００６５】
警報部１２Ｆ（又は１０Ｇ）は、好ましくは、外部記憶装置８がパッド７の上で記憶装置インタフェース部１２Ｃと通信できる位置に残されていることを示す警告メッセージ又は警告信号を出力する。警報部１２Ｆは好ましくは、表示窓２Ａ、２Ｂ、スピーカ、又は照明部の少なくともいずれかを用いて、その警告メッセージ又は警告信号を出力する。図６Ｂを参照すると、警報部１２Ｆは、好ましくは、その警告メッセージを示すウィンドウ３Ｗを遊技画面３の上に重ね合わせている。そのウィンドウ３Ｗは、好ましくは、遊技画面３の下から現れて（下側の矢印Ｄ１参照）、その中央で静止し、上方へ消える（上側の矢印Ｄ２参照）。尚、そのウィンドウ３Ｗは、例えば、水平方向に移動する、遊技画面３の中央に突然に、又は徐々に現れるなど、別の方法で遊技画面３に表示されてもよい。その警告メッセージがスピーカから音声のアナウンスとして再生されてもよい。表示窓２Ａ、２Ｂ、タッチパネル５、スピンボタン６、又は照明部の少なくともいずれかが、警告信号を示す特定のパターンで明るさ及び色を変化させてもよい。その警告メッセージ又は警告信号は、ＬＡＮ３０に接続されている大画面ディスプレイ５０、外部スピーカ、又は照明装置で再生されてもよい。警報部１２Ｆは、ＬＡＮ３０を通してサーバ２０や、カジノの従業員所有のモバイル機器に、その警告メッセージ又は警告信号を送信してもよい。
【００６６】
好ましくは、遊技者が不注意に自分の外部記憶装置８をパッド７の上に置き忘れそうな場合に、警報部１２Fは上記の警告メッセージ又は警告信号を出力する。従って、その警告メッセージ又は警告信号を遊技者又はカジノの従業員に、適切な時期に与えることができる。こうして、遊技機１０は、不必要な警告メッセージや警告信号の表示で遊技中の遊技者を煩わせることなく、遊技者が自分の外部記憶装置８を失くす危険性を効果的に低減できる。
【００６７】
好ましくは、操作部１１Ｄが遊技者から、自分のクレジットを現金に変換する（すなわち、クレジットをチケットで支払う）旨、又は、外部記憶装置８に格納される金銭情報に変換する旨の指示を受け付けた場合、警報部１２Ｆは警告メッセージ又は警告信号を出力する。ここで、操作部１１Ｄは好ましくは、遊技者がタッチパネル５に表示された仮想的な払い出しボタンに触れたことを検出した場合に、上記の指示を受け付ける。その他に、遊技者のクレジットが印刷されたチケットを遊技制御部１１が排出した場合、又は遊技制御部１１が金銭情報を外部記憶装置８に格納し終えた場合、警報部１２Ｆが警告メッセージ又は警告信号を出力してもよい。上記の変換は通常、遊技者が遊技機１０での遊技をや止めるときに行われる。従って、遊技者が遊技を止めて遊技機１０から離れるときに、警告メッセージ又は警告信号を遊技者やカジノの従業員に与えることができる。
【００６８】
好ましくは、使用可能なクレジットがゼロになっているか否かに応じて、警報部１２Ｆは警告メッセージ又は警告信号を出力する。ここで、警報部１２Ｆは、好ましくは、各ラウンドの最後に行われる通常のルーチンを用いて、クレジットがゼロになっているか否かをチェックする。警報部１２Ｆは、好ましくは、次の３つの場合（Ａ）〜（Ｃ）のいずれかに警告メッセージ又は警告信号を出力する。
【００６９】
（Ａ）第１の場合は、遊技の各ラウンドの終了時に遊技者のクレジットがゼロになっていることを遊技制御部１１が検出した場合である。
【００７０】
（Ｂ）第２の場合は、クレジットがゼロになっていることを遊技制御部１１が検出してから所定時間、遊技制御部１１が遊技者からクレジットの追加を受けなかった場合である。尚、遊技者は、別のチケットをチケットスロット４に投入でき、又は、タッチパネル５を使って遊技制御部１１に、金銭情報を追加のクレジットに変換することを指示できる。チケットリーダ１１Ｆが、その新たなチケットに印刷されたバーコードから追加のクレジットを解読した場合、又は、操作部１１Ｄがその指示を受け付けた場合、主制御部１１Ｂは、記憶部１１Ｃ内のクレジットデータを更新して、使用可能なクレジットに追加のクレジットを加算する。
【００７１】
（Ｃ）第３の場合は、クレジットがゼロになっていることを検出した後、遊技制御部が遊技者から遊技停止の指示を受けた場合である。尚、遊技者はタッチパネル５を使って、遊技停止を遊技制御部１１に指示できる。
【００７２】
上記３つの場合（Ａ）〜（Ｃ）では、遊技者が遊技を止めて遊技機１０から離れる可能性が高い。従って、それらの場合（Ａ）〜（Ｃ）に出力される警告メッセージ及び警告信号は、遊技者が外部記憶装置８を失くす危険性を効果的に低減できる。
【００７３】
同様の理由から、利用可能なクレジットが賭け金の最小額（遊技者が遊技機１０で遊技できる遊技の種類ごとに最小の金額）を下回るまでに減っているか否かにより、警報部１２Ｆは警告メッセージ又は警告信号を出力してもよい。ここで、警報部１２Ｆは、各ラウンドの最後で通常のルーチンに追加された処理を用い、クレジットが賭け金のその最小額を下回ったか、チェックしなければならない。好ましくは、次の３つの場合（Ａ）〜（Ｃ）のいずれかにおいて、警報部１２Ｆは警告メッセージ又は警告信号を出力する。
【００７４】
（Ａ）第１の場合は、遊技の各ラウンドの終了時に遊技者のクレジットが賭け金の最小額を下回ったことを、遊技制御部１１が検出した場合である。
【００７５】
（Ｂ）第２の場合は、クレジットが賭け金の最小額を下回ったことを遊技制御部１１が検出してから所定時間、遊技制御部１１が遊技者からクレジットの追加を受けなかった場合である。
【００７６】
（Ｃ）第３の場合は、クレジットが賭け金の最小額を下回ったことを遊技制御部が検出した後、遊技制御部が遊技者からその遊技機での遊技停止の指示を受けた場合である。
【００７７】
好ましくは、遊技制御部１１が遊技者から遊技機１０での遊技中断の指示を受けた場合、警報部１２Ｆは警告メッセージ又は警告信号を出力する。遊技中断の指示は通常、遊技者が遊技機１０から離れて休憩する場合にタッチパネル５から入力される。従って、警告メッセージ又は警告信号が有効である。
【００７８】
好ましくは、遊技制御部１１が賞金として比較的高い配当金を遊技者に与えることを決定した場合に、警報部１２Ｆは警告メッセージ又は警告信号を出力する。その他に、好ましくは、ジャックポット制御部又は外部のジャックポット制御装置４０が遊技者にジャックポットを与えることを決定した場合に、警報部１２Ｆは警告メッセージ又は警告信号を出力する。それらのような場合、遊技者は興奮して気がそぞろになりやすい。そうでなくとも、その遊技者は高額の配当金やジャックポットに満足して、遊技機１０での遊技を止める可能性がかなり高い。従って、警告メッセージ又は警告信号が有効である。
【００７９】
配当金が当たった場合、遊技制御部１１は通常、視覚効果として、主表示窓２Ａに、クレジットの値が増えていく様を表示する。特に、比較的高い配当金やジャックポットが当たった場合、クレジットの表示値が比較的長い時間をかけて増えていく。従って、好ましくは、遊技制御部１１が比較的高い配当金やジャックポットの金額だけクレジットの値を増やす場合、警報部１２Ｆは警告メッセージ又は警告信号を出力する。その他に、遊技制御部１１がクレジットの表示値を増やし終えた場合、又は、遊技制御部１１がクレジットの表示値を増やし始めてから、若しくは増やし終えてから所定時間、遊技者から指示を受けなかった場合、警報部１２Ｆは警告メッセージ又は警告信号を出力してもよい。
【００８０】
好ましくは、遊技制御部１１が遊技者から所定の種類の干渉行為を受けた場合、警報部１２Ｆは警告メッセージ又は警告信号を出力する。干渉行為の種類は好ましくは、タッチパネル５やスピンボタン６を繰り返し叩く、１ラウンドあたりの遊技時間を速める、メッセージの表示をスキップするなど、遊技者のいらだちを示す行動を含む。好ましくは、操作部１１Ｄが、タッチパネル５及びスピンボタン６を通して受け付けた信号のパターンから干渉行為を検出する。より好ましくは、遊技制御部１１が遊技者から一定時間内に所定回数、干渉行為を受けた場合、又は、遊技制御部１１が干渉行為と遊技者のクレジットが下限値、例えばゼロ若しくは賭け金の最小額を下回ったこととの両方を検出した場合、警報部１２Ｆは警告メッセージ又は警告信号を出力する。そのような種類の干渉行為が頻繁に、又はクレジットの不足時に発生した場合、遊技者が遊技を止めて遊技機１０から離れるようとする可能性がかなり高い。従って、警告メッセージ又は警告信号が有効である。
【００８１】
好ましくは、記憶装置インタフェース部１２Ｃが外部記憶装置８との接続を所定時間、有効に維持している場合、警報部１２Ｆは警告メッセージ又は警告信号を出力する。遊技開始から所定時間が経過した場合、遊技者が遊技を止めて遊技機１０から離れる可能性がかなり高い。従って、警告メッセージ又は警告信号が有効である。この場合、より好ましくは、遊技制御部１１がその所定時間内に遊技者から指示を受けなかったときに、警報部１２Ｆは警告メッセージ又は警告信号を出力する。この状態では、遊技者はおそらく遊技に集中していない。従って、警告メッセージ及び警告信号（特に音声又は音響）が有効である。尚、遊技者が、フィーチャーゲームやボーナスゲームを長時間体験した遊技機１０での遊技を止めてその遊技機１０を離れる可能性は一般に低いので、警報部１２Ｆ又は遊技制御部１１は、上記の所定時間の計測から、フィーチャーゲームやボーナスゲームを行った時間を外してもよい。
【００８２】
好ましくは、記憶装置インタフェース部１２Ｃが外部記憶装置８との接続にエラーを検出し、遊技制御部１１がそのエラー検出時から所定時間、遊技者から指示を受けなかった場合、警報部１２Ｆは警告メッセージ又は警告信号を出力する。この状態では、遊技者はおそらく、外部記憶装置８でのエラーに気づいていない。この場合、遊技者は自分の外部記憶装置８をパッド７の上に不注意に置き忘れやすい。従って、警告メッセージ又は警告信号が有効である。
【００８３】
好ましくは、遊技制御部１１がエラーによって遊技を強制終了した場合、警報部１２Ｆは警告メッセージ又は警告信号を出力する。この状態では、遊技者は通常、遊技機１０を離れるしかない。従って、警告メッセージ又は警告信号が有効である。
【００８４】
警報部１２Ｆは、好ましくは、遊技者監視部１２Ｅを用いて検出された遊技者の位置に応じて、警告メッセージ又は警告信号を出力するか否かを決定する。特に、遊技者監視部１２Ｅが、遊技者が筐体１の前又は周囲にいないことを検出した場合、又は、遊技者が筐体１からある程度離れている場合、警報部１２Ｆは警告メッセージ又は警告信号を出力する。これは、遊技者の外部記憶装置８がパッド７の上に不注意に置き忘れられたことをその遊技者又はカジノの従業員に素早く知らせるのに有効である。
【００８５】
警報部１２Ｆは、好ましくはチケットプリンタドライバ１１Ｆに警告メッセージ又は警告信号を送信する。チケットプリンタドライバ１１Ｆはそのとき、その警告メッセージ、又は、その警告信号としての特定の記号をチケットに印刷する。そのチケットがチケットスロット４から遊技者に渡される。チケットは遊技者にとって現金と同等であるので、遊技者が遊技機１０から離れるときにチケットを忘れることは稀である。従って、チケットに印刷された警告メッセージ又は警告信号は有効である。
【００８６】
好ましくは、記憶装置インタフェース部１２Ｃが外部記憶装置８との接続を切断した場合、警報部１２Ｆは警告メッセージ及び警告信号の出力を停止する。それにより、警報部１２Ｆは、電力消費を低減できるだけでなく、遊技中に不要な警告メッセージや警告信号で遊技者を煩わせずにすむ。
【００８７】
警報部１２Ｆは、好ましくは、個人情報を用いて警告メッセージ又は警告信号を出力する。
【００８８】
例えば、警報部１２Ｆは、対象の遊技者の氏名や顔写真を個人情報管理部１２Ｄから読み出して、警告メッセージ又は警告信号に使用する。すると、その遊技者の氏名や顔写真が、主表示窓２Ａ又は大画面ディスプレイ５０に表示される警告メッセージ・ウィンドウ３Ｗの中に現れる。その他に、その遊技者の氏名が警告メッセージと共に音声で再生される。従って、その遊技者は、その警告が自分に向けられていることにすぐに気付くことができる。
【００８９】
警報部１２Ｆは、個人情報管理部１２Ｄから電話番号やＥメールアドレスを読み出し、それを使って、警告メッセージ又は警告信号を電話やＥメールで遊技者の携帯電話に送ってもよい。外部記憶装置８自体が、ネットワークから電話やＥメールを受ける機能を備えている場合、すなわち、外部記憶装置８が携帯電話８Ａ又はＰＤＡ８Ｂである場合、警報部１２Ｆは警告メッセージ又は警告信号を外部記憶装置８に直接送ってもよい。対象の遊技者は、呼出音／メール着信音、点滅光、又は無音の振動により、その警告にすぐに気づくことができる。近年の携帯電話やＰＤＡには、着用可能な小型の装置に電話やＥメールの着信を無線で知らせることのできる種類がある。その装置は、ユーザの衣服、キーホルダ、指輪、又は眼鏡に取り付けられ、又は埋め込まれ、ビープ音や振動で電話の呼出やＥメールの着信をユーザに知らせる。警報部１２Ｆは警告メッセージ又は警告信号の通知にその装置を利用してもよい。
【００９０】
警報部１２Ｆは、個人情報管理部１２Ｄから対象の遊技者の氏名や顔写真を読み出し、警告メッセージ又は警告信号と共に、サーバ２０やカジノの従業員所有の装置に送信してもよい。それにより、その従業員は、カジノフロアにいる人々の中から対象の遊技者をすぐに特定できる。
【００９１】
用語の一般的な解釈
【００９２】
本発明の範囲を理解するに当たり、「構成された」という用語は、この明細書で装置の構成要素、区画、又は部分の説明に用いられているように、所望の機能を実現するために組み立てられ、又はプログラムされた、ハードウェア、ソフトウェア、又はその両方を含む。本発明の範囲を理解するに当たり、この明細書で用いられている「有する」という用語及びその派生語は、この明細書で用いられているように、記載された特徴、要素、成分、グループ、全体、ステップ、又はそれらのいくつか若しくは全部の存在を特定する一方で、記載されていない他の特徴、要素、成分、グループ、全体、ステップ、又はそれらのいくつか若しくは全部の存在を排除しない、非制限的な用語であることを意図している。上述のことは、「含む」、「持つ」、及びそれらの派生語など、同様な意味を持つ語句にも当てはまる。また、「部」、「区画」、「部分」、「部材」、又は「要素」という用語は、単数形で使用されていても、単一の部分又は複数の部分という二重の意味を持ち得る。最後に、「実質的に」、「約」、及び「およそ」などの程度を示す用語は、この明細書で用いられているように、それらで修飾された用語について、最終的な結果が重大には変化しない程度の誤差を意味する。例えば、これらの用語は、もしそれらが修飾する語句の意味を否定する誤差でなければ、修飾された用語の少なくとも±５％の誤差を含むものとして構成され得る。
【００９３】
以上、好適な実施形態のみを本発明の例示に選択したが、当業者にはこの開示内容から、添付の請求の範囲に定義された本発明の範囲を逸脱することなく、この明細書の内容に様々な変更及び修正を加えられることは明白であろう。更に、本発明による好適な実施形態に関する上記の説明は例示のみを目的とするものであり、添付の請求の範囲、及びそれに均等な範囲によって定められた本発明の限定を目的とするものではない。
【図面の簡単な説明】
【００９４】
ここで、本発明の開示内容の一部を成す添付の図面について述べる。
【図１】本発明の一実施形態による遊技システムのネットワーク図
【図２】図１に示されている遊技機の正面図
【図３Ａ】図２に示されているパッドの上に置かれた外部記憶装置を示す概略図
【図３Ｂ】図２に示されているパッドの上に置かれた外部記憶装置を示す概略図
【図３Ｃ】図２に示されているパッドの上に置かれた外部記憶装置を示す概略図
【図４】図１に示されている遊技機のブロック図
【図５】図１に示されている遊技機及びサーバの別のブロック図
【図６Ａ】図２に示されている遊技機に表示される遊技画面の一例
【図６Ｂ】図６Ａに示されている遊技画面に表示される警告メッセージの一例
【図１】
2008279262.tif 000003
【図２】
2008279262.tif 000004
【図３Ａ】
2008279262.tif 000005
【図３Ｂ】
2008279262.tif 000006
【図３Ｃ】
2008279262.tif 000007
【図４】
2008279262.tif 000008
【図５】
2008279262.tif 000009
【図６Ａ】
2008279262.tif 000010
【図６Ｂ】
2008279262.tif 000011
【外国語明細書】
2008279262000001.pdf